(57)【特許請求の範囲】
【請求項１】
進化型ノードＢ（ｅＮＢ）であって、
直交周波数分割多重（ＯＦＤＭ）時分割複信（ＴＤＤ）セルラシステムにおいて負荷情報を共有するためのメッセージの通信を制御するための回路であり、前記メッセージは、第１の無線通信セルのためのセル識別子を示すための第１の情報要素（ＩＥ）と、前記第１の無線通信セルによって使用されることを意図した上りリンク下りリンク（ＵＬ−ＤＬ）構成情報を示すための第２のＩＥであり、前記第２のＩＥは一組の列挙された値の中の１つの値として前記ＵＬ−ＤＬ構成情報を示し、前記値は、所定のＵＬ−ＤＬ構成を示す、第２のＩＥと、第２の無線通信セルのためのセル識別子を示すための第３のＩＥと、を有する、回路と、
前記回路に結合された送受信機であり、前記メッセージをＯＦＤＭ信号として送信する、送受信機と、を備える
ｅＮＢ。
【請求項２】
請求項１に記載のｅＮＢであって、前記ＯＦＤＭ・ＴＤＤセルラシステムは、ロングタームエボリューション（ＬＴＥ）、または、ＬＴＥアドバンスト（ＬＴＥ−Ａ）システムを含む、
ｅＮＢ。
【請求項３】
請求項１に記載のｅＮＢであって、前記メッセージは、Ｘ２アプリケーションプロトコル（Ｘ２ＡＰ）メッセージを含む、
ｅＮＢ。
【請求項４】
請求項１に記載のｅＮＢであって、前記メッセージは、Ｘ２アプリケーションプロトコル（Ｘ２ＡＰ）の負荷情報メッセージを含む、
ｅＮＢ。
【請求項５】
請求項１に記載のｅＮＢであって、前記第１のＩＥは、セル情報項目ＩＥグループのセル識別子ＩＥを含む、
ｅＮＢ。
【請求項６】
請求項１に記載のｅＮＢであって、前記第２のＩＥは、セル情報項目ＩＥグループの動的サブフレーム割当てＩＥを含む、
ｅＮＢ。
【請求項７】
請求項１に記載のｅＮＢであって、前記第２のＩＥは、セル情報項目ＩＥグループのＵＬ−ＤＬ構成アップデートＩＥを含み、各列挙された値は、異なる所定のＵＬ−ＤＬ構成を示す、
ｅＮＢ。
【請求項８】
請求項１に記載のｅＮＢであって、前記第３のＩＥは、ＵＬ高干渉情報ＩＥグループの対象セル識別子ＩＥを含む、
ｅＮＢ。
【請求項９】
請求項１に記載のｅＮＢであって、前記送受信機は、前記メッセージを、前記第２の無線通信セルを制御するｅＮＢに送信する、
ｅＮＢ。
【請求項１０】
請求項１に記載のｅＮＢであって、前記送受信機に結合された１以上のアンテナを備え、前記送受信機は、前記メッセージをＯＦＤＭ信号として、前記１以上のアンテナを介して送信する、
ｅＮＢ。
【請求項１１】
進化型ノードＢ（ｅＮＢ）であって、
直交周波数分割多重（ＯＦＤＭ）時分割複信（ＴＤＤ）セルラシステムにおいて負荷情報を共有するためのメッセージを受信する送受信機であり、前記メッセージは、第１の無線通信セルのためのセル識別子を示すための第１の情報要素（ＩＥ）と、前記第１の無線通信セルによって使用されることを意図した上りリンク下りリンク（ＵＬ−ＤＬ）構成情報を示すための第２のＩＥと、第２の無線通信セルのためのセル識別子を示すための第３のＩＥと、を有する、送受信機と、
前記送受信機に結合された回路であり、前記第１の無線通信セルによって使用されることを意図した前記ＵＬ−ＤＬ構成情報に少なくとも部分的に基づいて、前記第２の無線通信セルのためのＵＬ−ＤＬ構成を割当てる、回路と、を備える
ｅＮＢ。
【請求項１２】
請求項１１に記載のｅＮＢであって、前記ＯＦＤＭ・ＴＤＤセルラシステムは、ロングタームエボリューション（ＬＴＥ）、または、ＬＴＥアドバンスト（ＬＴＥ−Ａ）システムを含む、
ｅＮＢ。
【請求項１３】
請求項１１に記載のｅＮＢであって、前記メッセージは、Ｘ２アプリケーションプロトコル（Ｘ２ＡＰ）メッセージを含む、
ｅＮＢ。
【請求項１４】
請求項１１に記載のｅＮＢであって、前記メッセージは、Ｘ２アプリケーションプロトコル（Ｘ２ＡＰ）の負荷情報メッセージを含む、
ｅＮＢ。
【請求項１５】
請求項１１に記載のｅＮＢであって、前記第１のＩＥは、セル情報項目ＩＥグループのセル識別子ＩＥを含む、
ｅＮＢ。
【請求項１６】
請求項１１に記載のｅＮＢであって、前記第２のＩＥは、セル情報項目ＩＥグループの動的サブフレーム割当てＩＥを含み、前記動的サブフレーム割当てＩＥは、一組の列挙された値の中の１つの値として前記ＵＬ−ＤＬ構成情報を示し、前記値は、所定のＵＬ−ＤＬ構成を示す、
ｅＮＢ。
【請求項１７】
請求項１１に記載のｅＮＢであって、前記第２のＩＥは、セル情報項目ＩＥグループのＵＬ−ＤＬ構成アップデートＩＥを含み、前記ＵＬ−ＤＬ構成アップデートＩＥは、一組の列挙された値の中の１つの値として前記ＵＬ−ＤＬ構成情報を示し、各列挙された値は、異なる所定のＵＬ−ＤＬ構成を示す、
ｅＮＢ。
【請求項１８】
請求項１１に記載のｅＮＢであって、前記第３のＩＥは、ＵＬ高干渉情報ＩＥグループの対象セル識別子ＩＥを含む、
ｅＮＢ。
【請求項１９】
請求項１１に記載のｅＮＢであって、前記送受信機は、前記メッセージを、前記第１の無線通信セルを制御するｅＮＢから受信する、
ｅＮＢ。
【請求項２０】
請求項１１に記載のｅＮＢであって、前記送受信機に結合された１以上のアンテナを備え、前記送受信機は、前記メッセージを前記１以上のアンテナを介してＯＦＤＭ信号として受信する、
ｅＮＢ。
【請求項２１】
装置であって、
少なくともその一部がハードウェアにおいて実装され、直交周波数分割多重（ＯＦＤＭ）時分割複信（ＴＤＤ）セルラシステム上でＸ２アプリケーションプロトコル（Ｘ２ＡＰ）の負荷情報メッセージの送信を制御する、ロジックであり、前記負荷情報メッセージは、無線通信セルのためのセル識別子を示すためのセル識別子情報要素（ＩＥ）と、前記セル識別子によって示された前記無線通信セルによって使用されることを意図したＵＬ−ＤＬ構成情報を示すための上りリンク下りリンク（ＵＬ−ＤＬ）構成アップデートＩＥであり、前記ＵＬ−ＤＬ構成アップデートＩＥは一組の列挙された値の中の１つの値として前記ＵＬ−ＤＬ構成情報を示し、各列挙された値は、定義されたＵＬ−ＤＬ構成を示す、ＵＬ−ＤＬ構成アップデートＩＥとを有する、ロジックと、
前記ロジックに結合された無線であり、前記負荷情報メッセージをＯＦＤＭ信号として送信する、無線と、を備える
装置。
【請求項２２】
請求項２１に記載の装置であって、前記セル識別子ＩＥは、セル情報項目ＩＥグループの部分を含む、
装置。
【請求項２３】
請求項２１に記載の装置であって、前記ＵＬ−ＤＬ構成アップデートＩＥは、セル情報項目ＩＥグループの部分を含む、
装置。
【請求項２４】
請求項２１に記載の装置であって、前記負荷情報メッセージは、異なる無線通信セルを示すための対象セル識別子ＩＥを有し、前記対象セル識別子ＩＥは、ＵＬ高干渉情報ＩＥグループの部分を含む、
装置。
【請求項２５】
請求項２１に記載の装置であって、前記ＯＦＤＭ・ＴＤＤセルラシステムは、ロングタームエボリューション（ＬＴＥ）、または、ＬＴＥアドバンスト（ＬＴＥ−Ａ）システムを含む、
装置。
【請求項２６】
方法であって、
直交周波数分割多重（ＯＦＤＭ）時分割複信（ＴＤＤ）セルラシステムにおいて負荷情報を共有するためのメッセージを生成する生成ステップであり、前記メッセージは、第１の無線通信セルのためのセル識別子を示すための第１の情報要素（ＩＥ）と、前記第１の無線通信セルによって使用されることを意図した上りリンク下りリンク（ＵＬ−ＤＬ）構成情報を示すための第２のＩＥであり、前記第２のＩＥは一組の列挙された値の中の１つの値として前記ＵＬ−ＤＬ構成情報を示し、各列挙された値は、定義されたＵＬ−ＤＬ構成を示す、第２のＩＥと、第２の無線通信セルのためのセル識別子を示すための第３のＩＥと、を有する、生成ステップと、
前記負荷情報メッセージを通信チャネル上で送信する送信ステップと、を備える
方法。
【請求項２７】
請求項２６に記載の方法であって、前記負荷情報メッセージをＯＦＤＭ信号として送信する送信ステップを備える、
方法。
【請求項２８】
請求項２６に記載の方法であって、前記負荷情報メッセージをデータネットワーク上で送信する送信ステップを備える、
方法。
【請求項２９】
請求項２６に記載の方法であって、前記第１のＩＥはセル識別子ＩＥを含み、前記セル識別子ＩＥは、セル情報項目ＩＥグループの部分を含み、前記第２のＩＥはＵＬ−ＤＬ構成アップデートＩＥを含み、前記ＵＬ−ＤＬ構成アップデートＩＥは、前記セル情報項目ＩＥグループの部分を含む、
方法。
【請求項３０】
請求項２６に記載の方法であって、前記負荷情報メッセージは、異なる無線通信セルを示すための対象セル識別子ＩＥを有し、前記対象セル識別子ＩＥは、ＵＬ高干渉情報ＩＥグループの部分を含む、
方法。
【発明の詳細な説明】
【技術分野】
【０００１】
本特許出願は、時分割複信（ＴＤＤ）上りリンク−下りリンク（ＵＬ−ＤＬ）構成管理の方法、システムおよび装置に関する。
【背景技術】
【０００２】
例えばセルラネットワーク等の通信ネットワークにおいて通信されるトラフィックは、時間において、または、セル領域において、しばしば非対称であり得る。例えば、下りリンク（ＤＬ）および上りリンク（ＵＬ）トラフィックの量は著しく異なり得、時間において変化し得、および／または、異なるセルにアクセスし得る。そのようなトラフィックのバリエーションは、例えば、異なる時分割複信（ＴＤＤ）フレーム構成を使用する等して、ＤＬおよびＵＬに割り当てられる時間リソースの量を適応することにより、効果的に扱い得る。
【０００３】
ＴＤＤは、一対のスペクトラム資源を要求しない柔軟な展開を提供する。ＴＤＤの展開に対して一般に、基地局（ＢＳ）のＢＳに対する、および、ユーザ装置（ＵＥ）のＵＥに対する、その両方を含むＵＬとＤＬとの間の干渉が考慮される必要がある。一例は、階層化された異機種ネットワーク展開であり、そこでは、異なるセルにおける異なる上りリンク下りリンク構成を考慮することに関心があり得る。同じ周波数帯における異なる事業者によって展開される異なる搬送波を含み、同じかまたは異なる、上りリンク下りリンク構成を展開する展開にも関心があり、そこでは、可能性のある干渉として、リモートＢＳのＢＳに対する干渉等の共通チャネル干渉と同様、隣接チャネル干渉が含まれ得る。
【０００４】
現在、ロングタームエボリューション（ＬＴＥ）ＴＤＤは、７つの異なる準静的に構成された上りリンク下りリンク構成を利用した準静的割当てを提供することにより、非対称ＵＬ−ＤＬ割当てを許す。準静的割当ては、実際の瞬間的なトラフィック状況にマッチするかもしれないし、マッチしないかもしれない。
【図面の簡単な説明】
【０００５】
シンプル且つ明確に示すために、図において示される要素は、必ずしも一定の尺度では描かれていない。例えば、要素のいくつかの寸法は、提示の明確さのために、他の要素に対して相対的に誇張され得る。さらに、参照番号は、対応するまたは類似する要素を示すために、図の間で繰り返され得る。図は以下の通りリストアップされる。
【０００６】
【図１】いくつかの例証的な実施形態に従った、セルラシステムの概略ブロック図のイラストである。
【図２】いくつかの例証的な実施形態に従った、セルラノードの概略ブロック図のイラストである。
【図３】いくつかの例証的な実施形態に従った、時分割複信（ＴＤＤ）上りリンク下りリンク（ＵＬ−ＤＬ）構成管理の方法の概略フローチャートのイラストである。
【図４】いくつかの例証的な実施形態に従った、製品の概略のイラストである。
【発明を実施するための形態】
【０００７】
以下の詳細な説明において、いくつかの実施形態の完全な理解を提供するために、多くの特定の詳細が記載されている。しかし、いくつかの実施形態が、これらの特定の詳細無しに実施され得ることは、当業者によって理解されるであろう。他の例として、議論を曖昧にしないように、周知の方法、手順、コンポーネント、ユニット、および／または、回路は詳細に記載されていない。
【０００８】
本明細書において、例えば「処理する」、「計算する（computing）」、「計算する（calculating）」、「決定する」、「確立する」、「解析する」、「チェックする」等の用語を利用した議論は、コンピュータのレジスタおよび／またはメモリ内の物理的（例、電子的）量として表されるデータを、コンピュータのレジスタおよび／またはメモリ、または、動作および／または処理を実行するための命令を格納し得る他の情報記憶媒体内の同様な物理量として表される他のデータへと、操作および／または変換するコンピュータ、コンピュータプラットフォーム、コンピューティングシステム、または他の電子コンピューティングデバイスの動作および／または処理を参照し得る。
【０００９】
本明細書において使用されている「複数（plurality）」および「複数（a  plurality）」という用語は、例えば、「複数（multiple）」または「２以上」を含む。例えば、「複数の項目」は、２以上の項目を含む。
【００１０】
「一実施形態（one  embodiment）」、「一実施形態（an  embodiment）」、「例証的な実施形態（demonstrative  embodiment）」、「さまざまな実施形態」、等は、記載された実施形態が、或る特定の特徴、構造、または特性を含み得るが、必ずしもすべての実施形態が、その特定の特徴、構造、または特性を含むとは限らない。さらに、「一実施形態において」という用語の反復使用は、同じ実施形態を参照し得るが、必ずしも、同じ実施形態を参照しない。
【００１１】
本明細書において使用される「第１」、「第２」、「第３」等の序数形容詞の使用は、特に断らない限り、共通のオブジェクトを記述し、単に類似のオブジェクトの異なるインスタンスが参照されていることを示すものであり、そのように記述されたオブジェクトが、時間的に、空間的に、ランキング的に、またはいかなる他の方法において、与えられた順番でなければならないことを暗示することを意図しない。
【００１２】
いくつかの実施形態は、例えば、パーソナルコンピュータ（ＰＣ）、デスクトップコンピュータ、モバイルコンピュータ、ラップトップコンピュータ、ノートブックコンピュータ、タブレットコンピュータ、スマートフォンデバイス、サーバコンピュータ、ハンドヘルドコンピュータ、ハンドヘルドデバイス、パーソナルデジタルアシスタント（ＰＤＡ）デバイス、ハンドヘルドＰＤＡデバイス、オンボードデバイス、オフボードデバイス、ハイブリッドデバイス、車載デバイス、非車載デバイス、モバイルまたは携帯デバイス、コンシューマデバイス、非モバイルまたは非携帯デバイス、無線通信局、無線通信デバイス、無線アクセスポイント（ＡＰ）、有線または無線ルータ、有線または無線モデム、ビデオデバイス、オーディオデバイス、オーディオビデオ（Ａ／Ｖ）デバイス、有線または無線ネットワーク、セルラネットワーク、セルラノード、多入力多出力（ＭＩＭＯ）送受信機またはデバイス、単入力多出力（ＳＩＭＯ）送受信機またはデバイス、多入力単出力（ＭＩＳＯ）送受信機またはデバイス、１以上の内部アンテナおよび／または外部アンテナを備えるデバイス、デジタルビデオブロードキャスト（ＤＶＢ）デバイスまたはシステム、マルチ標準無線デバイスまたはシステム、スマートフォン、無線アプリケーションプロトコル（ＷＡＰ）デバイス、自動販売機、販売ターミナル等の有線または無線ハンドヘルドデバイス、等のさまざまなデバイスおよびシステムと組み合わされて使用され得る。
【００１３】
いくつかの実施形態は、例えば、３ＧＰＰ＿ＴＳ３６．４２３：進化型ユニバーサル地上無線アクセスネットワーク（Ｅ−ＵＴＲＡＮ）；Ｘ２アプリケーションプロトコル（Ｘ２ＡＰ）（「ＲＡＮ３」）、３ＧＰＰ＿ＴＳ３６．２０１：「進化型ユニバーサル地上無線アクセス（Ｅ−ＵＴＲＡ）；物理層−一般記述」（「ＲＡＮ１」）、および／または、将来のバージョンおよび／またはそれらの派生、上記ネットワーク等の部分であるユニットおよび／またはデバイス等の、既存のロングタームエボリューション（ＬＴＥ）仕様書に従って動作するデバイスおよび／またはネットワークと組み合わされて使用され得る。
【００１４】
いくつかの実施形態は、例えば、無線周波数（ＲＦ）、周波数分割多重（ＦＤＭ）、直交ＦＤＭ（ＯＦＤＭ）、シングルキャリア周波数分割多元接続（ＳＣ−ＦＤＭＡ）、時分割多重（ＴＤＭ）、時分割多元接続（ＴＤＭＡ）、拡張ＴＤＭＡ（Ｅ−ＴＤＭＡ）、一般パケット無線サービス（ＧＰＲＳ）、拡張ＧＰＲＳ、符号分割多元接続（ＣＤＭＡ）、ワイドバンドＣＤＭＡ（ＷＣＤＭＡ（登録商標））、ＣＤＭＡ２０００、シングルキャリアＣＤＭＡ、マルチキャリアＣＤＭＡ、マルチキャリア変調（ＭＤＭ）、離散マルチトーン（ＤＭＴ）、ブルートゥース（登録商標）、全地球測位システム（ＧＰＳ）、無線フィデリティ（Ｗｉ−Ｆｉ）、Ｗｉ−Ｍａｘ、ＺｉｇＢｅｅ（商標）、ウルトラワイドバンド（ＵＷＢ）、モバイル通信のためのグローバルシステム（ＧＳＭ（登録商標））、第２世代（２Ｇ）、２．５Ｇ、３Ｇ、３．５Ｇ、４Ｇ、ロングタームエボリューション（ＬＴＥ）セルラシステム、ＬＴＥアドバンスセルラシステム、高速下りリンクパケットアクセス（ＨＳＰＤＡ）、高速上りリンクパケットアクセス（ＨＳＵＰＡ）、高速パケットアクセス（ＨＳＰＡ）、ＨＳＰＡ＋、シングルキャリア無線伝送技術（１ＸＲＴＴ）、エボリューションデータ最適化（ＥＶ−ＤＯ）、ＧＳＭ（登録商標）エボリューションのための拡張データレート（ＥＤＧＥ）等の、１以上のタイプの無線通信信号および／またはシステムと組み合わされて使用され得る。
【００１５】
本明細書において使用されている「無線デバイス」という用語は、例えば、無線通信の可能なデバイス、無線通信の可能な通信デバイス、無線通信の可能な通信局、無線通信の可能なポータブルまたは非ポータブルデバイス、等を含む。いくつかの例証的な実施形態において、無線デバイスは、コンピュータに統合される周辺装置、または、コンピュータに取り付けられる周辺装置、であり得、または、含み得る。いくつかの例証的な実施形態において、「無線デバイス」という用語は、オプション的に、無線サービスを含み得る。
【００１６】
無線通信信号に関して本明細書において使用される「通信する」という用語は、無線通信信号を送信すること、および／または、無線通信信号を受信すること、を含む。例えば、無線通信信号を通信することが可能な無線通信ユニットは、少なくとも１つの他の無線通信ユニットに無線通信信号を送信する無線送信機、および／または、少なくとも１つの他の無線通信ユニットから、無線通信信号を受信する無線通信受信機、を含み得る。
【００１７】
本明細書において、いくつかの例証的な実施形態は、ＬＴＥセルラシステムに関して説明されている。しかし、他の実施形態は、例えば、３Ｇセルラネットワーク、４Ｇセルラネットワーク、ＷｉＭａｘセルラネットワーク、等のいかなる他の適切なセルラネットワークにおいて実装され得る。
【００１８】
本明細書において使用されている「アンテナ」という用語は、１以上のアンテナ要素、コンポーネント、ユニット、アセンブリー、および／または、アレイのいかなる適切な構成、構造、および／または配置を含み得る。いくつかの実施形態において、アンテナは、別々の送信および受信アンテナ要素を使用した送信および受信機能を実装し得る。いくつかの実施形態において、アンテナは、共通の、および／または、統合された、送信／受信要素を使用した送信および受信機能を実装し得る。アンテナは、例えば、位相アレイアンテナ、単一要素アンテナ、ダイポールアンテナ、一組のスイッチビームアンテナ、等を含み得る。
【００１９】
本明細書において使用されている「セル」という用語は、下りリンクの、そしてオプション的に上りリンクの、リソース等のネットワークリソースの組合せを含み得る。リソースは、例えば、セルラノード（「基地局」としても呼ばれる）、等によって制御、および／または、割当てされ得る。下りリンクリソースのキャリア周波数と上りリンクリソースのキャリア周波数とのリンク付けは、下りリンクリソース上で伝送されるシステム情報において示され得る。
【００２０】
まず図１が参照され、図１では、いくつかの例証的な実施形態に従って、セルラシステム１００の概略ブロック図が示されている。例えば、セルラシステム１００は、ＷｉＭＡＸセルラシステム、ロングタームエボリューション（ＬＴＥ）またはＬＴＥアドバンスセルラシステム、等の第４世代セルラシステムを含み得る。
【００２１】
図１において示されるように、いくつかの例証的な実施形態において、システム１００は、例えば、セル１０２および１０４を含む複数のセルに対応する内容、データ、情報、および／または、信号の通信が可能なセルラノード１０６および１０８を含む複数のセルラノードを含み得る。例えば、ノード１０６は、セル１０２の中の複数のユーザ装置（ＵＥ）デバイス１１０と通信し得、および／または、ノード１０８は、セル１０４の中の複数のＵＥデバイス１１２と通信し得る。
【００２２】
いくつかの例証的な実施形態において、ノード１０６および／または１０８は、進化型ノードＢ（ｅＮＢ）を含み得る。例えば、ノード１０６および／または１０８は、無線リソース管理（ＲＲＭ）、無線ベアラ制御、無線許可制御（アクセス制御）、接続モビリティ管理、上りリンクおよび下りリンクの両方におけるＵＥへのリソースの動的割当て等のＵＥおよびｅＮＢ無線間のリソーススケジューリング、ヘッダ圧縮、ユーザデータストリームのリンク暗号化、他のｅＮＢまたは進化型パケットコア（ＥＰＣ）等の宛先へのユーザデータのパケットルーティング、着信呼および／または接続要求等のページングメッセージのスケジューリングおよび／または送信、ブロードキャスト情報協調、測定報告、および／または、いかなる他のオペレーションを実行するように構成し得る。
【００２３】
他の実施形態において、ノード１０６および／または１０８は、いかなる他の機能を含み得、および／または、ノードＢ（ＮＢ）等のいかなる他のセルラノードの機能を実行し得る。
【００２４】
いくつかの例証的な実施形態において、ＵＥ１１０および／または１１２は、例えば、モバイルコンピュータ、ラップトップコンピュータ、ノートブックコンピュータ、タブレットコンピュータ、モバイルインターネットコンピュータ、ハンドヘルドコンピュータ、ハンドヘルドデバイス、記憶デバイス、ＰＤＡデバイス、ハンドヘルドＰＤＡデバイス、オンボードデバイス、オフボードデバイス、ハイブリッドデバイス（例、セルラ電話機能とＰＤＡデバイス機能を組合せる）、コンシューマデバイス、車載デバイス、非車載デバイス、モバイルまたはポータブルＧＰＳデバイス、ＤＶＢデバイス、比較的小さいコンピューティングデバイス、非デスクトップコンピュータ、「キャリースモールリブラージ（Carry  Small  Live  Large）」（ＣＳＬＬ）デバイス、ウルトラモバイルデバイス（ＵＭＤ）、ウルトラモバイルＰＣ（ＵＭＰＣ）、モバイルインターネットデバイス（ＭＩＤ）、「折り紙（Origami）」デバイスまたはコンピューティングデバイス、ビデオデバイス、オーディオデバイス、Ａ／Ｖデバイス、ゲームデバイス、メディアプレイヤ、スマートフォン、等を含み得る。
【００２５】
図２が参照され、図２では、いくつかの例証的な実施形態に従った、セルラノード２００の概略が示されている。例えば、セルラノード２００は、ノード１０６（図１）および／またはノード１０８（図１）の機能を実行し得る。
【００２６】
いくつかの例証的な実施形態において、ノード２００と、例えば、１以上の他のセルラノード、ＵＥ、等の１以上の他のデバイスとの間の無線通信を実行するための１以上の無線通信ユニット２０２を含み得る。
【００２７】
いくつかの例証的な実施形態において、無線通信ユニット２０２は、１以上のアンテナを、含み得るかまたは関連付られ得る。一例において、無線通信ユニット２０２は、アンテナ２０８および２１０等の少なくとも２つのアンテナと関連付られ得る。
【００２８】
いくつかの例証的な実施形態において、アンテナ２０８および／または２１０は、無線通信信号、ブロック、フレーム、伝送ストリーム、パケット、メッセージ、および／または、データを送信および／または受信するための、いかなるタイプのアンテナを含み得る。例えば、アンテナ２０８および／または２１０は、１以上のアンテナ要素、コンポーネント、ユニット、アセンブリー、および／または、アレイのいかなる適切な構成、構造、および／または配置を含み得る。例えば、アンテナ２０８および／または２１０は、位相アレイアンテナ、ダイポールアンテナ、単一要素アンテナ、一組のスイッチビームアンテナ、等を含み得る。
【００２９】
いくつかの実施形態において、アンテナ２０８および／または２１０は、別々の送信および受信アンテナ要素を使用した送信および受信機能を実装し得る。いくつかの実施形態において、アンテナ２０８および／または２１０は、共通の、および／または、統合された、送信／受信要素を使用した送信および受信機能を実装し得る。
【００３０】
いくつかの例証的な実施形態において、無線通信ユニット２０２は、例えば、少なくとも１つの無線２０４と、無線２０４によって実行される通信を制御するための少なくとも１つのコントローラ２０６とを含み得る。例えば、無線２０４は、無線通信信号、ＲＦ信号、フレーム、ブロック、伝送ストリーム、パケット、メッセージ、データ項目、および／または、データを送信および／または受信することができる、１以上の無線送信機、受信機および／または送受信機を含み得る。
【００３１】
いくつかの例証的な実施形態において、無線２０４は、多入力多出力（ＭＩＭＯ）送信機受信機システム（不図示）を含み、該システムは、必要に応じて、アンテナビームフォーミング手法を実行し得る。
【００３２】
いくつかの例証的な実施形態において、無線２０４は、必要に応じて、データビットをデータシンボルに符号化および／または復号化するためのターボデコーダおよび／またはターボエンコーダ（不図示）を含み得る。
【００３３】
いくつかの例証的な実施形態において、無線２０４は、例えばセルラノード２００およびＵＥ間の下りリンク（ＤＬ）チャネル上のＯＦＤＭ信号、および、ＵＥおよびセルラノード２００間の上りリンク（ＵＬ）チャネル上のＳＣ−ＦＤＭＡ信号を通信するように構成されたＯＦＤＭおよび／またはＳＣ−ＦＤＭＡ変調器および／または復調器（不図示）を含み得る。
【００３４】
いくつかの例証的な実施形態において、ノード２００は、ノード２００によって制御されるセル内のＵＬおよびＤＬ通信のために割当てられる時間リソースのＴＤＤ＿ＵＬ−ＤＬ構成を制御するための時分割複信（ＴＤＤ）ＵＬ−ＤＬ構成コントローラ２３０を含み得る。例えば、ノード１０６（図１）は、セル１０２（図１）内のＵＬおよびＤＬ通信のために割当てられる時間リソースのＴＤＤ＿ＵＬ−ＤＬ構成を制御するためのＴＤＤ＿ＵＬ−ＤＬ構成コントローラ２３０を含み得る；および／または、ノード１０８（図１）は、セル１０４（図１）内のＵＬおよびＤＬ通信のために割当てられる時間リソースのＴＤＤ＿ＵＬ−ＤＬ構成を制御するためのＴＤＤ＿ＵＬ−ＤＬ構成コントローラ２３０を含み得る。
【００３５】
いくつかの例証的な実施形態において、ＴＤＤ＿ＵＬ−ＤＬ構成コントローラ２３０は、無線通信ユニット２０２の一部として実装され得る。他の実施形態において、ＴＤＤ＿ＵＬ−ＤＬ構成コントローラ２３０と無線通信ユニット２０２は、ノード２００の別々の要素として、または、複数のセルのためのＵＬ−ＤＬ構成の動的割当てを制御する別々のネットワークエンティティとして、実装され得る。
【００３６】
いくつかの例証的な実施形態において、セルラノード２００は、例えば、プロセッサ２２０、メモリユニット２２２、および記憶ユニット２２４の１以上を含み得る。一例において、プロセッサ２２０、メモリユニット２２２、および記憶ユニット２２４の１以上は、無線通信ユニット２０２および／またはＴＤＤ＿ＵＬ／ＤＬ構成コントローラ２３０とは別の１以上の要素として実装され得る。別の例において、プロセッサ２２０、メモリユニット２２２、および記憶ユニット２２４の１以上は、無線通信ユニット２０２および／またはＴＤＤ＿ＵＬ／ＤＬ構成コントローラ２３０の一部として実装され得る。
【００３７】
プロセッサ２２０は、例えば、中央処理ユニット（ＣＰＵ）、デジタルシグナルプロセッサ（ＤＳＰ）、１以上のプロセッサコア、シングルコアプロセッサ、デュアルコアプロセッサ、マルチコアプロセッサ、マイクロプロセッサ、ホストプロセッサ、コントローラ、複数のプロセッサまたはコントローラ、チップ、マイクロチップ、１以上の回路、回路（circuitry）、ロジックユニット、集積回路（ＩＣ）、アプリケーション特定ＩＣ（ＡＳＩＣ）、またはいかなる他の適切な多目的のまたは特定のプロセッサまたはコントローラを含む。プロセッサ２２０は、例えば、ノード２００のオペレーティングシステム（ＯＳ）の命令、および／または、１以上の適切なアプリケーションの命令を実行する。
【００３８】
メモリユニット２２２は、例えば、ランダムアクセスメモリ（ＲＡＭ）、リードオンリーメモリ（ＲＯＭ）、ダイナミックＲＡＭ（ＤＲＡＭ）、シンクロナスＤＲＡＭ（ＳＤ−ＲＡＭ）、フラッシュメモリ、揮発性メモリ、不揮発性メモリ、キャッシュメモリ、バッファ、短期間メモリユニット、長期間メモリユニット、または、他の適切なメモリユニットを含む。記憶ユニット２２４は、例えば、ハードディスクドライブ、フロッピディスクドライブ、コンパクトディスク（ＣＤ）ドライブ、ＣＤ−ＲＯＭドライブ、ＤＶＤドライブ、または、他の適切なリムーバブルまたは非リムーバブル記憶ユニットを含む。メモリユニット２２２および／または記憶ユニット２２４は、例えば、ノード２００によって処理されるデータを格納する。
【００３９】
図１の参照に戻って、いくつかの実施形態において、ノード１０６および１０８は、例えば、以下に詳細に説明されるようなＴＤＤ＿ＵＬ−ＤＬ構成管理を実行するように構成され得る。
【００４０】
いくつかの例証的な実施形態において、ノード１０６および１０８は、ＴＤＤ＿ＵＬ−ＤＬ構成情報を通信し得る。例えば、ノード１０６は、セル１０２のＴＤＤ＿ＵＬ−ＤＬ構成に関係するＴＤＤ＿ＵＬ−ＤＬ構成情報をノード１０８に送信し得る；および／または、ノード１０８は、例えば、以下に説明されるように、セル１０４のＴＤＤ＿ＵＬ−ＤＬ構成に関係するＴＤＤ＿ＵＬ−ＤＬ構成情報をノード１０６に送信し得る。他の実施形態において、ＴＤＤ＿ＵＬ−ＤＬ構成情報は、ノード１０６および１０８で使用されるＴＤＤ＿ＵＬ−ＤＬ構成を定義し得る別のネットワークエンティティと共有され得る。
【００４１】
本明細書において、いくつかの例証的な実施形態は、２つのｅＮＢ間でＴＤＤ＿ＵＬ−ＤＬ構成情報を通信するためのｅＮＢ−ｅＮＢインターフェイスを参照して説明される。しかし、他の実施形態は、例えば、ｅＮＢとオペレーションおよび管理（ＯＡＭ）との間でＴＤＤ＿ＵＬ−ＤＬ構成情報を通信するためのｅＮＢ−ＯＡＭインターフェイス、ｅＮＢとモビリティ管理エンティティ（ＭＭＥ）等の要素管理システム（ＥＭＳ）との間のインターフェイス等を参照して実装され得る。
【００４２】
いくつかの例証的な実施形態において、ノード１０６および１０８は、ＴＤＤ＿ＵＬ−ＤＬ構成情報を、例えば、拡張干渉管理およびトラフック適合（ｅＩＭＴＡ）のために、および／または、いかなる他の目的のために、利用し得る。
【００４３】
いくつかの例証的な実施形態において、ノード１０６および１０８は、ＴＤＤ＿ＵＬ−ＤＬ構成情報を、例えば、動的ＴＤＤ＿ＵＬ−ＤＬ構成のために利用し得る。例えば、ノード１０６等の第１ノードは、ノード１０８等の第２ノードへ、セル１０２等の第１ノードによって制御されるセルのＴＤＤ＿ＵＬ−ＤＬ構成に関係するＴＤＤ＿ＵＬ−ＤＬ構成情報を通信し得る。ノード１０８等の第２ノードは、少なくとも第１セルのＴＤＤ＿ＵＬ−ＤＬに基づいて、セル１０４等の第２ノードによって制御されるセルのＴＤＤ＿ＵＬ−ＤＬ構成を、例えば動的に、適応し得る。例えば、ノード１０８は、セル１０２の上りリンクおよび下りリンクトラフィックおよび他の条件を動的に考慮することによって、セル１０４のＴＤＤ＿ＵＬ−ＤＬ構成を動的に適応し得る。
【００４４】
いくつかの例証的な実施形態において、例えば以下で詳細に説明されるように、ノード１０６は、セル１０２内の通信のためにノード１０６のＴＤＤ＿ＵＬ−ＤＬ構成コントローラ２３０（図１）等のノード１０６によって割当てられたＴＤＤ＿ＵＬ−ＤＬ構成とともに、ノード１０８等の少なくとも１つの他のノードをアップデートするためのＴＤＤ＿ＵＬ−ＤＬ構成アップデートを含むメッセージを、送信し得る。
【００４５】
いくつかの例証的な実施形態において、ノード１０８は、ノード１０６からメッセージを受信し得、ノード１０６から受信したＴＤＤ＿ＵＬ−ＤＬ構成アップデートに基づいて、セル１０４内の通信のためにＴＤＤ＿ＵＬ−ＤＬ構成を割当て得る。例えば、ノード１０８のＴＤＤ＿ＵＬ−ＤＬ構成コントローラ２３０（図１）は、ノード１０６から受信したＴＤＤ＿ＵＬ−ＤＬ構成アップデートに基づいて、セル１０４内の通信のためのＴＤＤ＿ＵＬ−ＤＬ構成を割当て得る。
【００４６】
いくつかの例証的な実施形態において、メッセージは、Ｘ２アプリケーションプロトコル（Ｘ２ＡＰ）メッセージを含み得、該Ｘ２ＡＰメッセージは、ｅＮＢ間の通信のために構成され得る。他の実施形態において、メッセージは、いかなる他のセルラノード間の通信のために構成されたいかなる他のメッセージを含み得る。
【００４７】
いくつかの例証的な実施形態において、ＴＤＤ＿ＵＬ−ＤＬ構成アップデートは、既存のメッセージタイプ等の、Ｘ２ＡＰメッセージの専用フィールドの一部として通信され得、該メッセージタイプは、他の所定の目的のための他のフィールドを含み得る。
【００４８】
いくつかの例証的な実施形態において、ＴＤＤ＿ＵＬ−ＤＬ構成アップデートは、新しいメッセージタイプ等の、専用Ｘ２ＡＰメッセージの一部として通信され得、該新しいメッセージタイプは、ＴＤＤ＿ＵＬ−ＤＬ構成アップデートを通信するための専用のものであり得る。
【００４９】
いくつかの例証的な実施形態において、既存のメッセージタイプの一部としてＴＤＤ＿ＵＬ−ＤＬ構成アップデートを通信することは、標準化への影響を減らすことができる等、有益であり得る。
【００５０】
いくつかの例証的な実施形態において、専用メッセージの一部としてＴＤＤ＿ＵＬ−ＤＬ構成アップデートを通信することは、既存のメッセージの通信のタイミングとは独立した、および／または、異なるタイミングおよび／または頻度で、ＴＤＤ＿ＵＬ−ＤＬ構成アップデートを提供することを可能にし得る。例えば、専用メッセージの一部としてＴＤＤ＿ＵＬ−ＤＬ構成アップデートを通信することは、１秒よりも短い頻度等の、リソース状態アップデートの頻度より高くあり得る頻度で、ＴＤＤ＿ＵＬ−ＤＬアップデートを提供することを可能にし得る。
【００５１】
いくつかの例証的な実施形態において、メッセージはまた、ＴＤＤ＿ＵＬ−ＤＬ構成アップデートに対応するセルを識別するセル識別子を含み得る。例えば、ノード１０６は、セル１０２の識別子と、セル１０２に対応するＴＤＤ＿ＵＬ−ＤＬ情報と、を含むメッセージを送信し得る。
【００５２】
いくつかの例証的な実施形態において、ＴＤＤ＿ＵＬ−ＤＬ構成アップデートは、所定の情報要素（ＩＥ）（「動的サブフレーム割当てＩＥ」）の一部として含まれ得る。
【００５３】
いくつかの例証的な実施形態において、ＴＤＤ＿ＵＬ−ＤＬ構成アップデートは、負荷および干渉協調情報を通信するために定義されたメッセージの一部として含まれ得る。
【００５４】
例えば、ＴＤＤ＿ＵＬ−ＤＬ構成アップデートは、負荷情報Ｘ２ＡＰメッセージの一部として含まれ得、該メッセージは、ノード１０６等のｅＮＢから、例えばｅＮＢ１０８を含む１以上の隣接ｅＮＢへ通信され得る。
【００５５】
一例において、以下の通り、動的サブフレーム割当てＩＥが、付加情報Ｘ２ＡＰメッセージの一部として含まれ得る。
【表１】
0005997366.tif 000002
【００５６】
表１において使用される表記ＥＮＵＭＥＲＡＴＥＤ（ｓａ０、ｓａ１、ｓａ２、ｓａ３、ｓａ４、ｓａ５、ｓａ６、．．．）は、動的サブフレーム割当てＩＥが、「ｓａ」で表記された値の１つを含み得ることを示す。「ｓａ」で表記された値は、異なるＴＤＤ＿ＵＬ−ＤＬ構成を示す値を含み得る。例えば、値ｓａ０、ｓａ１、ｓａ２、ｓａ３、ｓａ４、ｓａ５、ｓａ６は、７つのそれぞれの所定のＴＤＤ＿ＵＬ−ＤＬ構成を示し得る。一実施形態において、７つの所定のＴＤＤ＿ＵＬ−ＤＬ構成は、例えば、３ＧＰＰ＿ＴＳ３６．２１１（「進化型ユニバーサル地上無線アクセス（Ｅ−ＵＴＲＡ）；物理チャネルおよび変調」）によって定義されたＬＴＥ仕様書によって定義されたＴＤＤ＿ＵＬ−ＤＬ構成を含み得る。例えば、値ｓａ０は、時間リソースの第１の所定の割当てを表し得、値ｓａ１は、時間リソースの第２の所定の割当てを表し得、以下同様である。他の実施形態において、動的サブフレーム割当てＩＥは、ＴＤＤ＿ＵＬ−ＤＬ構成のいかなる他の所定のセット等から選択された、および／または、１以上の所定の構成を参照するまたは参照しないいかなる他の適切な方法で定義された、ＴＤＤ＿ＵＬ−ＤＬ構成のいかなる他の表現を含み得る。
【００５７】
表１について、負荷情報Ｘ２ＡＰメッセージは、動的サブフレーム割当てＩＥが対応するセルを識別するセル識別子と、「対象セルＩＤ」と表記され、動的サブフレーム割当てＩＥを受信することを意図されたノードのセルを識別する対象セル識別子と、を含む「セルＩＤ」ＩＥを含み得る。
【００５８】
いくつかの例証的な実施形態において、ＴＤＤ＿ＵＬ−ＤＬ構成アップデートは、ｅＮＢによってブロードキャストされるメッセージの一部として含まれ得、ｅＮＢに対応する構成アップデートを含み得る。
【００５９】
例えば、ＴＤＤ＿ＵＬ−ＤＬ構成アップデートは、構成アップデートＸ２ＡＰメッセージの一部として含まれ得、該メッセージは、ノード１０６等のｅＮＢから、例えばｅＮＢ１０８を含む１以上の隣接ｅＮＢへ通信され得る。
【００６０】
一例において、動的サブフレーム割当てＩＥは、例えば以下のように、構成アップデートＸ２ＡＰメッセージの被サービスセル（Served  Cell）情報ＩＥの一部として含まれ得る：
【表２−１】
0005997366.tif 000003
【表２−２】
0005997366.tif 000004
【表２−３】
0005997366.tif 000005
【００６１】
いくつかの例証的な実施形態において、ＴＤＤ＿ＵＬ−ＤＬ構成アップデートは、動的サブフレーム割当てＩＥを通信するために定義された専用メッセージの一部として含まれ得る。
【００６２】
一例において、動的サブフレーム割当てＩＥは、例えば下記のような、専用ＴＤＤ構成アップデートＸ２ＡＰメッセージの一部として含まれ得る。
【表３】
0005997366.tif 000006
【００６３】
いくつかの例証的な実施形態において、ノード１０６および１０８は、例えば以下で詳しく説明されているように、ＵＬおよびＤＬリソースの動的割当てを促進するために、および／または、セル１０２および／または１０４に関してノード１０６および／または１０８によって利用されるＴＤＤ＿ＵＬ−ＤＬ構成に関連する追加の情報を通信するために、１以上の追加のメッセージを通信し得る。
【００６４】
いくつかの例証的な実施形態において、ノード１０６等のノードは、例えば以下で説明されているように、例えばノード１０８を含む１以上の他のノードへ、該ノードによって制御される１以上のセルのＵＬおよび／またはＤＬキュー状態に関連する状態レポートを送信し得る。
【００６５】
いくつかの例証的な実施形態において、ＵＬ−ＤＬキュー状態は、要求されるＵＬおよび／またはＤＬリソースについての現在のセル需要を特徴付ける１以上のパラメータを含み得る。
【００６６】
いくつかの例証的な実施形態において、ノード１０６および１０８は、例えば以下で説明されているように、セル１０２および／または１０４に対応するＵＬ−ＤＬキュー状態の状態レポートを通信し得る。
【００６７】
いくつかの例証的な実施形態において、ノード１０６等のノードは、セル１０２等の、該ノードによって制御される少なくとも１つのセルに対応するＵＬ−ＤＬキュー状態の状態レポートについての、ノード１０８等の他のノード（「対象ノード」）からの要求を示す状態要求メッセージを、受信し得る。該ノードは、例えば該状態要求メッセージに応答して、要求されたレポートを含む状態アップデートメッセージを送信し得る。
【００６８】
いくつかの例証的な実施形態において、状態要求メッセージおよび状態アップデートメッセージは、Ｘ２ＡＰリソース状態レポーティング手順の一部として通信され得る。
【００６９】
いくつかの例証的な実施形態において、状態要求メッセージは、ビットを含むレポート特性ＩＥであり、該ビットは、状態レポートのための要求を示す所定の値を備えるレポート特性ＩＥと、該ノードが状態レポートを対象ノードに送信する最小周期等の要求周期を定義するレポート周期ＩＥとを含むリソース状態要求メッセージを含み得る。
【００７０】
例えば、リソース状態要求メッセージは、例えば以下のように、状態レポートが要求されたか否かを示す第６ビットを含むレポート特性ＩＥと、要求された周期を示すレポート周期ＩＥとを含み得る。
【表４−１】
0005997366.tif 000007
【表４−２】
0005997366.tif 000008
【００７１】
例えば、「ＵＬ−ＤＬキューサイズ周期的」ビットは、リソース状態アップデートメッセージがＵＬ−ＤＬキュー状態情報を含み、例えば以下で定義されるように、レポート周期ＩＥにおいて示される周期で、対象ノードから送信されることを示すために１等の所定の値に設定され得る。
【００７２】
いくつかの例証的な実施形態において、状態アップデートメッセージは、ＵＬキュー状態およびＤＬキュー状態を含むＵＬ／ＤＬキュー状態ＩＥを含むリソース状態アップデートメッセージを含み得る。
【００７３】
例えば、リソース状態アップデートメッセージは、例えば以下のように、ＵＬキュー状態およびＤＬキュー状態を含むＵＬ／ＤＬキュー状態ＩＥを含み得る。
【表５】
0005997366.tif 000009
【００７４】
ＵＬ−ＤＬキューサイズＩＥは、例えば以下のように、リソース状態アップデートを送信するｅＮＢの特定のセルに対するＤＬおよびＵＬにおいて送信されるべき推定バッファサイズを示し得る。
【表６】
0005997366.tif 000010
【００７５】
いくつかの例証的な実施形態において、状態要求メッセージおよび状態アップデートメッセージは、専用ＵＬ／ＤＬキュー状態Ｘ２ＡＰメッセージの一部として通信され得る。
【００７６】
いくつかの例証的な実施形態において、状態要求メッセージは、第１ノードから第２ノードへ送信され得、ＵＬ−ＤＬキュー状態を用いて第２ノードが第１ノードをアップデートすべき周期である要求周期を定義するリポート周期ＩＥを含む専用のバッファ状態要求メッセージを含み得る。専用のバッファ状態要求メッセージの使用は、例えば第２ノードがリソース状態アップデートメッセージを送信する頻度と比較してより高い頻度、等の異なる頻度でＵＬ−ＤＬ状態をレポートするように、第１ノードが第２ノードに要求すること可能にし得る。
【００７７】
一例において、バッファ状態要求メッセージは、例えば以下のように、ＵＬ−ＤＬキュー状態の要求された１以上のセルの１以上の識別子と、ＵＬ−ＤＬキュー状態が提供されるべき要求されたレポート周期とを含み得る。
【表７】
0005997366.tif 000011
【００７８】
いくつかの例証的な実施形態において、状態アップデートメッセージは、第２ノードから第１ノードへ送信され得、状態要求メッセージによって識別されたセルのＵＬ−ＤＬキュー状態を含む専用のバッファ状態要求メッセージを含み得る。一例において、専用のバッファ状態アップデートメッセージは、専用のバッファ状態要求メッセージに応答して送信され得る。他の例において、専用のバッファ状態アップデートメッセージは、上述のリソース状態要求メッセージに応答して送信され得る。
【００７９】
一例において、専用のバッファ状態アップデートメッセージは、以下のように、ＵＬ−ＤＬキュー状態ＩＥを含み得る。
【表８】
0005997366.tif 000012
【００８０】
いくつかの例証的な実施形態において、ノード１０６および１０８は、セル１０２のために割当てられたＴＤＤ＿ＵＬ−ＤＬ構成を、ノード１０６がアップデートすることが許されるタイミング、および／または、セル１０４のために割当てられたＴＤＤ＿ＵＬ−ＤＬ構成を、ノード１０８がアップデートすることが許されるタイミングを示すタイミング情報を含むタイミングメッセージを通信し得る。一例において、タイミングアップデートは、必要に応じて、複数のセルにわたって同期され得る。
【００８１】
いくつかの例証的な実施形態において、タイミング情報は、１以上のセルのセル構成情報を含む被サービスセル情報ＩＥ等のＩＥの一部として通信され得る。
【００８２】
一例において、ノード１０６等の第１ノードは、例えば第２ノードへ、被サービスセル情報ＩＥを含むｅＮＢ構成アップデートメッセージを送信し得、該ｅＮＢ構成アップデートメッセージは、どのような頻度で第１ノードがＴＤＤ＿ＵＬ−ＤＬ構成をアップデートすることが許されるかを示す構成アップデート時間スケールフィールドを含み得る。例えば、被サービスセル情報ＩＥは、以下のような、構成アップデート時間スケールフィールドを含み得る。
【表９−１】
0005997366.tif 000013
【表９−２】
0005997366.tif 000014
【表９−３】
0005997366.tif 000015
【００８３】
ＴＤＤ＿ＵＬ−ＤＬ構成アップデート時間スケールＩＥは、例えば、１０ミリ秒（ｍｓ）と６４０ｍｓの間の所定の範囲の整数値として、例えば１０ｍｓ、２０ｍｓ、４０ｍｓ、８０ｍｓ、１６０ｍｓ、３２０ｍｓ、および６４０ｍｓの範囲における、またはいかなる他の方法における、値の有限の組に対して列挙された値として、定義され得る。
【００８４】
いくつかの例証的な実施形態において、タイミング情報は、すべてのｅＮＢ、例えばノード１０６および１０８の両方に対して、例えばＯＡＭによって構成され得る。
【００８５】
いくつかの例証的な実施形態において、ノード１０６および１０８は、ＵＬ−ＤＬ構成の所定のセットからノード１０６によって選択されたＵＬ−ＤＬ構成サブセットの表示、および／または、ＵＬ−ＤＬ構成の所定のセットからノード１０８によって選択されたＵＬ−ＤＬ構成サブセットの表示を通信し得る。
【００８６】
いくつかの例証的な実施形態において、ノード１０６は、例えば３ＧＰＰ＿ＴＳ３６．２１１によって定義されているような７つのＴＤＤ＿ＵＬ−ＤＬ構成の所定のセットからＴＤＤ＿ＵＬ−ＤＬ構成を選択するように構成され得る。
【００８７】
いくつかの例証的な実施形態において、ノード１０６は、１以上の、ノード１０８等の他のノードによって使用されることが許可されるようにノード１０６によって選択された１以上の許可されたＵＬ−ＤＬ構成を示すサブフレーム割当てＩＥを含む被サービスセル情報ＩＥを含むｅＮＢ構成アップデートメッセージを送信し得る。そして／または、ノード１０８は、１以上の、ノード１０６等の他のノードによって使用されることが許可されるようにノード１０８によって選択された１以上の許可されたＵＬ−ＤＬ構成を示すサブフレーム割当てＩＥを含む被サービスセル情報ＩＥを含むｅＮＢ構成アップデートメッセージを送信し得る。例えば、被サービスセル情報ＩＥは、例えば以下のように、サブフレーム割当てＩＥを含み得る。
【表１０−１】
0005997366.tif 000016
【表１０−２】
0005997366.tif 000017
【表１０−３】
0005997366.tif 000018
【００８８】
いくつかの例証的な実施形態において、サブフレーム割当てサブセットＩＥは、例えば、被サービスセル情報ＩＥを送信するノードによって、７つのＴＤＤ＿ＵＬ−ＤＬ構成情報の中からどの１以上のサブセットが、１以上の他のノードによって使用されるように許可されているかを示し得る。一例において、サブフレーム割当てサブセットＩＥは、ビットマップとして定義され得、該ビットマップにおいて、ビットは、１等の所定の値に設定され、対応するＴＤＤ＿ＵＬ−ＤＬ構成が１以上の他のノードによって使用されることが許されることを示す。例えば、第１ビットは、「１」に設定され得、すべての他のビットはゼロに設定され、第１ＴＤＤ＿ＵＬ−ＤＬ構成が、１以上の他のノードによって使用されることが許されることを示す。
【００８９】
一例において、ノード１０６は、使用が許される複数のＴＤＤ＿ＵＬ−ＤＬ構成を示すサブフレーム割当てサブセットＩＥを送信し得る。ノード１０８は、ノード１０６からのサブフレーム割当てサブセットＩＥを受信し得、サブフレーム割当てサブセットＩＥによって許されるとして示された複数のＴＤＤ＿ＵＬ−ＤＬ構成から１つのＴＤＤ＿ＵＬ−ＤＬ構成を選択し得る。ノード１０８は、例えば上述のように、ノード１０８によって選択されたＴＤＤ＿ＵＬ−ＤＬ構成を示す、ＴＤＤ＿ＵＬ−ＤＬ構成アップデートを送信し得る。
【００９０】
いくつかの例証的な実施形態において、ＴＤＤ＿ＵＬ−ＤＬは、ノード１０６および１０８の両方等のすべてのｅＮＢのために、例えばＯＡＭによって選択された構成であるように構成され得る。
【００９１】
いくつかの例証的な実施形態において、特定のノードは、他のノードに、該特定のノードによって制御される１以上のセルのための平均ＵＬ−ＤＬスペクトル効率の表示（「スペクトル効率表示」）を含むメッセージを通信し得る。例えば、ノード１０６および１０８は、セル１０２および／または１０４のための平均ＵＬ−ＤＬスペクトル効率の表示を通信し得る。
【００９２】
いくつかの例証的な実施形態において、例えば下記のように、Ｘ２ＡＰリソース状態レポート手順が、スペクトル効率表示の通信をサポートするために利用され得る。
【００９３】
いくつかの例証的な実施形態において、第１ノードは、第２ノードに、平均ＵＬ−ＤＬスペクトル効率の表示のための要求を含み、該平均ＵＬ−ＤＬスペクトル効率の表示が送信されるべき要求された周期を定義する要求メッセージを送信し得る。
【００９４】
いくつかの例証的な実施形態において、スペクトル効率表示を通信するように第２ノードに要求するために、リソース状態要求が第１ノードによって送信され得る。レポート特性ＩＥ等の、リソース状態要求のＩＥは、スペクトル効率表示のための要求を示すためのビット（「ＵＬ−ＤＬスペクトル効率周期的」）を含み得る。一例において、表４のリソース状態要求のレポート特性ＩＥは、スペクトル効率表示のための要求を示すために、第７ビット等の追加のビットを含むように修正され得る。表４に参照して上述されたように、レポート周期ＩＥもまた、含まれ得る。或いは、バッファ状態要求メッセージが、表７を参照して上述されたように、使用され得る。
【００９５】
いくつかの例証的な実施形態において、第２ノードは、例えばもし、「ＵＬ−ＤＬスペクトル効率周期的」ビットが、１等の所定の値に設定されるならば、平均ＵＬおよびＤＬスペクトル効率情報を含むリソース状態アップデートメッセージを送信し得る。
【００９６】
一例において、リソース状態アップデートメッセージは、例えば以下のように、ＵＬ−ＤＬスペクトル効率ＩＥを含み得る。
【表１１】
0005997366.tif 000019
【００９７】
図３が参照され、図３では、いくつかの例証的な実施形態に従った、ＴＤＤ＿ＵＬ−ＤＬ構成管理の方法の概略が示されている。いくつかの実施形態において、図３の動作の１以上は、システム１００（図１）等のセルラシステム、および／または、ノード１０６および／または１０８（図１）等のセルラノードによって実行され得る。
【００９８】
ブロック３０２において示されるように、該方法は、第１セルラノードと少なくとも１つの第２セルラノードとの間でメッセージを通信するステップであり、該メッセージは、第１ノードによって制御される少なくとも１つの第１セル内の通信のために第１ノードによって割当てられたＴＤＤ＿ＵＬ−ＤＬ構成の表示を含む、ステップを含み得る。例えば、ノード１０６および１０８（図１）は、セル１０２（図１）を識別するセル識別子と、セル１０２内の通信のためにノード１０６によって割当てられたＴＤＤ＿ＵＬ−ＤＬ構成の表示と、を含むＸ２−ＡＰメッセージを通信し得る。
【００９９】
ブロック３０４において示されるように、該メッセージを通信するステップは、第１ノードによって該メッセージを送信するステップを含み得る。例えば、ノード１０６（図１）は、セル１０２内の通信のためにノード１０６によって割当てられたＴＤＤ＿ＵＬ−ＤＬ構成の表示を含むメッセージを送信し得る。
【０１００】
ブロック３０６において示されるように、該メッセージを通信するステップは、第２ノードにおいて該メッセージを受信するステップを含み得る。例えば、ノード１０８（図１）は、セル１０２内の通信のためにノード１０６によって割当てられたＴＤＤ＿ＵＬ−ＤＬ構成の表示を含むメッセージを受信し得る。
【０１０１】
ブロック３０８において示されるように、該方法は、第１ノードによってアップデートされたＴＤＤ＿ＵＬ−ＤＬ構成に基づいて第２セル内の通信のためにＴＤＤ＿ＵＬ−ＤＬ構成を割当てるステップを含み得る。例えば、ノード１０８（図１）は、ノード１０６（図１）から受信したような、セル１０２（図１）のために割当てられたＴＤＤ＿ＵＬ−ＤＬ構成に基づいて、セル１０４（図１）のために割当てられたＴＤＤ＿ＵＬ−ＤＬ構成をアップデートし得る。
【０１０２】
図４が参照され、図４には、いくつかの例証的な実施形態に従った、製造製品４００の概略が示されている。製品４００は、ロジック４０４を格納するための非一時的機械可読記憶媒体４０２を含み得、該ロジック４０４は、例えば、ノード１０６および／または１０８（図１）、ＴＤＤ＿ＵＬ／ＤＬコントローラ２３０（図２）、無線通信ユニット２０２（図２）の機能の少なくとも一部を実行するために、および／または、図３の方法の１以上の動作を実行するために、使用され得る。用語「非一時的機械可読記憶媒体」は、一時的伝搬信号であることのみを除くすべてのコンピュータ可読媒体を含むように向けられる。
【０１０３】
いくつかの例証的な実施形態において、製品４００および／または機械可読記憶媒体４０２は、データを格納可能な、揮発性メモリ、不揮発性メモリ、リムーバブルまたは非リムーバブルメモリ、消去可能または非消去可能メモリ、書き込み可能または再書き込み可能メモリ、等を含むコンピュータ可読記憶媒体の１以上のタイプを含み得る。例えば、機械可読記憶媒体４０２は、ＲＡＭ、ＤＲＡＭ、ダブルデータレートＤＲＡＭ（ＤＤＲ−ＤＲＡＭ）、ＳＤＲＡＭ、スタティックＲＡＭ（ＳＲＡＭ）、ＲＯＭ、プログラマブルＲＯＭ（ＰＲＯＭ）、消去可能プログラマブルＲＯＭ（ＥＰＲＯＭ）、電気的消去可能ブログラマブルＲＯＭ（ＥＥＰＲＯＭ）、コンパクトディスクＲＯＭ（ＣＤ−ＲＯＭ）、コンパクトディスク記録可能（ＣＤ−Ｒ）、コンパクトディスク再書き込み可能（ＣＤ−ＲＷ）、フラッシュメモリ（例、ＮＯＲまたはＮＡＮＤフラッシュメモリ）、連想メモリ（ＣＡＭ）、ポリマーメモリ、相変化メモリ、強誘電体メモリ、シリコン−酸化物−窒化物−酸化物−シリコン（ＳＯＮＯＳ）メモリ、ディスク、フロッピー（登録商標）ディスク、ハードドライブ、光ディスク、磁気ディスク、カード、磁気カード、光カード、テープ、カセット、等を含み得る。コンピュータ可読記憶媒体は、モデム、無線またはネットワーク接続等の通信リンクを介して、リモートコンピュータから要求コンピュータへ、搬送波または他の伝搬媒体の中で具体化されたデータ信号によって運ばれるコンピュータプログラムをダウンロードまたは転送することに関係するいかなる適切な媒体を含み得る。
【０１０４】
いくつかの例証的な実施形態において、ロジック４０４は、もし機械によって実行されるならば、本明細書に記載された方法、処理および／または動作を機械に実行させ得る命令、データ、および／または、コードを含み得る。該機械は、例えば、いかなる適切な処理プラットフォーム、コンピューティングプラットフォーム、コンピューティングデバイス、処理デバイス、コンピューティングシステム、処理システム、コンピュータ、プロセッサ等を含み得、ハードウェア、ソフトウェア、ファームウェア、等のいかなる適切な組合せを使用して実装され得る。
【０１０５】
いくつかの例証的な実施形態において、ロジック４０４は、ソフトウェア、ソフトウェアモジュール、アプリケーション、プログラム、サブルーチン、命令、命令セット、コンピューティングコード、ワード、値、シンボル等、を含み得、または、として実装され得る。命令は、ソースコード、コンパイルされたコード、解釈されたコード、実行可能コード、静的コード、動的コード等、いかなる適切なタイプのコードを含み得る。命令は、プロセッサに或る機能を実行させるように命令するための所定のコンピュータ言語、方法またはシンタックスに従って実装され得る。命令は、Ｃ、Ｃ＋＋、Ｊａｖａ（登録商標）、ＢＡＳＩＣ、Ｍａｔｌａｂ、Ｐａｓｃａｌ、ビジュアルＢＡＳＩＣ、アセンブリ言語、機械コード等のいかなる適切なハイレベル、ローレベル、オブジェクト指向、ビジュアル、コンパイルされた、および／または、解釈されたプログラミング言語を使用して実装され得る。
【０１０６】
１以上の実施形態を参照して本明細書において記載された機能（functions）、動作、コンポーネント、および／または機能（features）は、１以上の他の実施形態を参照して本明細書において記載された機能、動作、コンポーネント、および／または機能と、組合わせられ得、または組合せて利用され得、逆もまた同様である。
【０１０７】
本明細書において、特定の機能が示されてきたが、多くのバリエーション、修正、置換、変更、追加、改善および均等物が、当業者に発生し得る。従って、添付された特許請求の範囲は、本発明の真の精神内に入るものとして、すべてのそのような修正および変更をカバーすることを意図されることが理解されるべきである。
【図１】
0005997366.tif 000020
【図２】
0005997366.tif 000021
【図３】
0005997366.tif 000022
【図４】
0005997366.tif 000023